(57)【特許請求の範囲】
【請求項１】
内面に離型剤が塗布されるダイカスト金型内を流動する溶湯を短絡式のセンサーとフォトカプラーを用いて検知する溶湯の検知方法において、
前記センサーが前記フォトカプラーの入力側に接続され、前記フォトカプラーの出力側が制御回路に接続され、前記センサーに溶湯が接触することにより前記センサーが短絡状態になるように構成され、
前記センサーに流れる電流の値が、前記離型剤の水分の接触により前記センサーが短絡状態になるときに流れる電流値よりも高く、かつ、前記溶湯の接触により前記センサーが短絡状態になるときに流れる電流値よりも低い所定の基準値に最初に到達した時点を前記フォトカプラーにより検出することにより、前記離型剤の水分の接触により前記センサーが短絡状態になった場合と区別して、前記ダイカスト金型内を流動する溶湯の先端を検知すること、を特徴とする溶湯の検知方法。
【請求項２】
請求項１に記載する溶湯の検知方法において、
前記ダイカスト金型内のガスを吸引するための真空ランナーに、前記センサーを設けたこと、を特徴とする溶湯の検知方法。
【請求項３】
請求項１又は請求項２に記載する溶湯の検知方法において、
前記センサーに流れる電流を可変抵抗の抵抗器で調整すること、を特徴とする溶湯の検知方法。
【発明の詳細な説明】
【０００１】
【発明の属する技術分野】
本発明は、ダイカスト金型内を流動する溶湯を短絡式のセンサーを用いて検知する溶湯の検知方法に関する。
【０００２】
【従来の技術】
従来より、普通ダイカスト法においては、製品内にブローホールが生成することを防止するため、その対策として、ダイカスト金型内のガスを排出することが行われている。
【０００３】
例えば、図５に示すように、普通ダイカスト法を実施する装置１００では、遮閉弁１０８が開端にある初期状態において、ダイカスト金型１０１のキャビティ１１２に溶湯１０２を充填するために、射出動作が開始されると、かかる射出動作の途中で発信されるガス抜き開始信号に基づいて、真空装置１０６によるガス吸引が開始される。これにより、真空ライナー１０７やガス通気口１０９を介して、ダイカスト金型１０１内のガスを排出することができる。
【０００４】
もっとも、真空装置１０６によるガス吸引をこのまま継続すると、ダイカスト金型１０１内を流動する溶湯１０２が、シリンダ１１０や真空装置１０６に浸入する不具合が発生することになるので、所定のタイミングで、真空装置１０６によるガス吸引を終了させる必要がある。
【０００５】
そこで、真空ライナー１０７に設けられた溶湯検知センサー１０３で溶湯１０２を検知した際は、制御装置１０４が、油圧バルブ１０５を切り替えることにより、遮閉弁１０８と連結するピストン１１３を後退させて、遮閉弁１０８を閉端にさせており、これにより、シリンダ１１０や真空装置１０６に溶湯１０２が浸入する不具合の発生を防止するとともに、真空装置１０６によるガス吸引を終了させている。
【０００６】
尚、遮閉弁１０８が開端又は閉端のいずれに位置するかの判断は、遮閉弁１０８と連結するピストン１１３の位置を２個のリミットスイッチ１１１で検知することにより、行っている。
【０００７】
また、このとき、溶湯検知センサー１０３による溶湯１０２の検知は、以下に述べるようにして行われている。
先ず、溶湯検知センサー１０３は、図６に示すように、芯１２１とケース１２３の間の導電を絶縁体１２２で絶った短絡式のものを使用している。そして、図３に示すように、芯１２１を直流電源ＤＣに接続するとともに、ダイカスト金型１０１を介してケース１２３を接地させることにより、溶湯検知センサー１０３に約１２Ｖの電位差を設けている。従って、溶湯１０２が溶湯検知センサー１０３に接触すれば、芯１２１とケース１２３は短絡するので、溶湯検知センサー１０３の電位差が殆どなくなる現象が起きる。
【０００８】
但し、図５の普通ダイカスト法を実施する装置１００においては、ダイカスト金型１０１から製品をノックアウトピン１１７で突き出すことを支障なく行うため、ダイカスト金型１０１の内面に対する離型剤の塗布を、ダイカスト金型１０１が閉じられる度（各ショット毎）に行っている。そして、かかる離型剤の水分が溶湯検知センサー１０３に接触しても、芯１２１とケース１２３は短絡するので、溶湯１０２が溶湯検知センサー１０３に接触した場合と同様にして、溶湯検知センサー１０３の電位差が殆どなくなる現象が起きる（図４の上のグラフ参照）。よって、溶湯検知センサー１０３で溶湯１０２を検知する際において、離型剤等の水分を要因とした誤検知の危険性がある。
【０００９】
そこで、図５の制御装置１０４内においては、図３に示すように、溶湯検知センサー１０３の電位差を、平滑回路の一種であるノイズカットフィルター１１４を介して、制御回路１１６と接続する監視回路１１５に印加させており、これにより、溶湯１０２が溶湯検知センサー１０３に接触した場合と、その他の場合（離型剤の水分が溶湯検知センサー１０３に接触した場合あるいは電気的ノイズが発生した場合）とを、区別できるようにしている。
【００１０】
すなわち、ダイカスト金型１０１内を流動する溶湯１０２の先端は噴流状態にあるため、溶湯１０２が溶湯検知センサー１０３に接触した場合でも、離型剤の水分が溶湯検知センサー１０３に接触した場合と同様にして、図４の上のグラフに示すように、溶湯検知センサー１０３の電位差が短時間に激しく上下に変動する状態が存在する。しかし、その後は、離型剤の水分が溶湯検知センサー１０３に接触した場合とは異なって、溶湯検知センサー１０３の電位差が殆どない安定した状態に移行する。
【００１１】
このように、溶湯１０２が溶湯検知センサー１０３に接触した場合と、離型剤の水分が溶湯検知センサー１０３に接触した場合とでは、溶湯検知センサー１０３の電位差の経時的変化が異なるので、溶湯検知センサー１０３の電位差は、ノイズカットフィルター１１４を介すると、図４の下のグラフに示すように推移することになる。従って、溶湯検知センサー１０３の電位差が所定値にまで低下すれば、溶湯１０２が溶湯検知センサー１０３に接触したといえるので、溶湯検知センサー１０３で溶湯１０２を検知することが可能となる。
【００１２】
【発明が解決しようとする課題】
しかしながら、そもそも、ノイズカットフィルター１１４は、平滑回路の一種であるので、溶湯検知センサー１０３の電位差は、図４の上のグラフに示すように、急激に大きく低下しても、ノイズカットフィルター１１４を介すると、図４の下のグラフに示すように、比較的に緩やかに低下する。従って、溶湯１０２が溶湯検知センサー１０３に接触した場合において、ノイズカットフィルター１１４を介した溶湯検知センサー１０３の電位差が所定値に低下するまでには、ある程度の時間を費やす必要があり、また、その時間の長さもショット毎に大きくばらついたものであった。
【００１３】
しかも、離型剤の水分が溶湯検知センサー１０３に接触した場合の溶湯検知センサー１０３の電位差は、ノイズカットフィルター１１４を介しても、図４の下のグラフに示すように低下し、その低下の際の最小値も不確定なので、溶湯１０２が溶湯検知センサー１０３に接触した場合と明確に区別するためには、所定値を低く設定しなければならなかった。
【００１４】
そのため、溶湯１０２が溶湯検知センサー１０３に最初に接触した時点から溶湯検知センサー１０３で溶湯１０２を検知するまでの時間を短縮するにも、限界があった（図４のタイムラグに相当し、例えば、約２．５ｍｓｅｃ）。
【００１５】
一方、ダイカスト金型１０１内においては、真空ランナー１０７はキャビティ１１２よりも狭いので、真空ライナー１０７内の溶湯１０２は高速で流動することになる。従って、シリンダ１１０や真空装置１０６に溶湯１０２が浸入する不具合の発生をより確実に長期に渡って防止したいとの要請からすれば、真空ランナー１０７内を流動する溶湯１０２の先端をより速く検知することが望まれるが、上述した技術的な限界により、かかる要請に応えることはできなかった。
【００１６】
そこで、本発明は、上述した問題点を解決するためになされたものであり、ダイカスト金型内を流動する溶湯の検知をより速く行うとともに、これに加えて、離型剤の水分や電気的ノイズが溶湯として検知されることを防止することも確保した溶湯の検知方法を提供することを課題とする。
【００１７】
【課題を解決するための手段】
この課題を解決するために成された請求項１に係る発明は、内面に離型剤が塗布されるダイカスト金型内を流動する溶湯を短絡式のセンサーとフォトカプラーを用いて検知する溶湯の検知方法において、前記センサーが前記フォトカプラーの入力側に接続され、前記フォトカプラーの出力側が制御回路に接続され、前記センサーに溶湯が接触することにより前記センサーが短絡状態になるように構成され、前記センサーに流れる電流の値が、前記離型剤の水分の接触により前記センサーが短絡状態になるときに流れる電流値よりも高く、かつ、前記溶湯の接触により前記センサーが短絡状態になるときに流れる電流値よりも低い所定の基準値に最初に到達した時点を前記フォトカプラーにより検出することにより、前記離型剤の水分の接触により前記センサーが短絡状態になった場合と区別して、前記ダイカスト金型内を流動する溶湯の先端を検知すること、を特徴としている。
【００１８】
また、請求項２に係る発明は、請求項１に記載する溶湯の検知方法において、前記ダイカスト金型内のガスを吸引するための真空ランナーに、前記センサーを設けたこと、を特徴としている。
【００１９】
また、請求項３に係る発明は、請求項１又は請求項２に記載する溶湯の検知方法において、前記センサーに流れる電流を可変抵抗の抵抗器で調整すること、を特徴としている。
【００２０】
【００２１】
このような特徴を有する本発明の溶湯の検知方法では、溶湯でセンサーが短絡した場合でも、離型剤の水分でセンサーが短絡した場合でも、センサーに電流が流れることには変わりはない。しかしながら、溶湯の電気抵抗値は、離型剤の水分の電気抵抗値に比べてかなり小さい。従って、溶湯で短絡した場合にセンサーに流れる電流の値（以下、「溶湯短絡時のセンサーの電流値」という）は、離型剤の水分で短絡した場合にセンサーに流れる電流の値（以下、「離型剤短絡時のセンサーの電流値」という）に比べてかなり大きい。
【００２２】
言い換えれば、離型剤の水分でセンサーが短絡した場合には、センサーに流れる電流の値は、「離型剤短絡時のセンサーの電流値」にまでしかならないが、溶湯でセンサーが短絡した場合には、センサーに流れる電流の値は、「離型剤短絡時のセンサーの電流値」を大きく超えて、「溶湯短絡時のセンサーの電流値」にまで到達することになる。従って、溶湯でセンサーが短絡した場合と離型剤の水分でセンサーが短絡した場合とを、センサーに流れる電流の値をもって、瞬時に且つ明確に区別することができる。
【００２３】
そこで、「離型剤短絡時のセンサーの電流値」より大きく「溶湯短絡時のセンサーの電流値」以下の大きさで基準値を設定すれば、センサーに流れる電流の値が基準値以上にあるときは、溶湯でセンサーが短絡していると言えるので、ダイカスト金型内を流動する溶湯を検知することが可能となる。
【００２４】
尚、上述した点は、電気的ノイズの対策としても、有効である。
【００２５】
すなわち、本発明の溶湯の検知方法では、センサーに流れる電流の値が基準値以上にあることを検出することにより、瞬時に且つ明確に、ダイカスト金型内を流動する溶湯を検知することができるので、ダイカスト金型内を流動する溶湯の検知をより速く行うとともに、これに加えて、離型剤の水分や電気的ノイズが溶湯として検知されることを防止することも確保できる。
【００２６】
また、このとき、ダイカスト金型内を流動する溶湯の先端でセンサーが短絡した際は、センサーに流れる電流の値が基準値に最初に到達することになるから、ダイカスト金型内を流動する溶湯の先端を検知するには、センサーに流れる電流の値が基準値に最初に到達した時点を検出すればよい。
【００２７】
特に、ダイカスト金型内のガスを吸引するため、ダイカスト金型に真空ランナーが彫り込まれた場合には、ダイカスト金型内のガスを吸引するための真空装置などに溶湯が浸入することを防止するために、真空ランナーにセンサーを設けて、真空ランナー内を流動する溶湯の先端を瞬時に検知することが重要となる。この点、ダイカスト金型内においては、真空ランナーはキャビティよりも狭く、真空ライナー内の溶湯は高速で流動することになり、真空ランナー内を流動する溶湯の先端を検知することをより速く行いたい要請があることから、かかる場合には、本発明の溶湯の検知方法の効果をより発揮することができる。
【００２８】
また、フォトカプラーの発光ダイオード自身のトリガー作用を検出時の基準値として使用すれば、フォトカプラーの発光ダイオードが光を発生させている間は、センサーに流れる電流の値が基準値以上にあることを示し、さらに、フォトカプラーの発光ダイオードが最初に光を発生させた時点が、センサーに流れる電流の値が基準値に最初に到達した時点を示すことから、本発明の溶湯の検知方法を電気回路で実施することができる。
【００２９】
このとき、可変抵抗の抵抗器でセンサーに流れる電流を調整できるようにすれば、「溶湯短絡時のセンサーの電流値」を変更することができ、もって、「溶湯短絡時のセンサーの電流値」と基準値の相対的な関係を調整することができるので、電気回路で実施された本発明の溶湯の検知方法の感度を最適な状態にすることができる。さらに、検知対象の溶湯が比較的に電気抵抗値の大きいものに変更され、「溶湯短絡時のセンサーの電流値」が比較的に小さくになっても、可変抵抗の抵抗器でセンサーに流れる電流を調整することにより、「溶湯短絡時のセンサーの電流値」を基準値以上に変更することができ、もって、「溶湯短絡時のセンサーの電流値」と基準値の相対的な関係を調整することができるので、電気回路で実施された本発明の溶湯の検知方法を、検知対象の溶湯の変更に対応させることができる。
【００３０】
【発明の実施の形態】
以下、本発明の実施の形態を図面を参照にして説明する。本実施の形態の溶湯の検知方法は、図５の普通ダイカスト法を実施する装置１００において、溶湯検知センサー１０３による溶湯１０２の検知を改良したものである。従って、図５の普通ダイカスト法を実施する装置１００の概要については、従来技術の欄で既に説明しているので、省略する。
【００３１】
さて、図５の普通ダイカスト法を実施する装置１００では、溶湯検知センサー１０３による溶湯１０２の検知を本実施の形態の溶湯の検知方法で行うために、図３のノイズカットフィルター１１４を使用した電気回路に代えて、図１のフォトカプラー１２を使用した電気回路を装備している。
【００３２】
すなわち、図１の電気回路に示すように、フォトカプラー１２の入力側においては、発光ダイオード２１の一方の端子が可変抵抗の抵抗器１３を介して直流電源ＤＣに接続されるとともに、発光ダイオード２１の他方の端子が溶湯検知センサー１０３の芯１２１（図６参照）に接続される。さらに、溶湯検知センサー１０３においては、ダイカスト金型１０１を介して、ケース１２３（図６参照）が接地される。従って、溶湯検知センサー１０３には、可変抵抗の抵抗器１３で調整された電位差が設けられる。
【００３３】
一方、フォトカプラー１２の出力側においては、フォトトランジスタ２２の一方の端子が直流電源ＤＣに接続されるとともに、フォトトランジスタ２２の他方の端子が接地される。従って、フォトカプラー１２のフォトトランジスタ２２には、約１２Ｖの電位差が設けられる。さらに、図１の電気回路では、フォトカプラー１２のフォトトランジスタ２２の電位差を、制御回路１１６と接続する監視回路１１５に印加させている。
【００３４】
従って、溶湯１０２が溶湯検知センサー１０３に接触すれば、芯１２１とケース１２３は短絡するので、溶湯検知センサー１０３に電流が流れる現象が起きる。また、離型剤の水分が溶湯検知センサー１０３に接触しても、芯１２１とケース１２３は短絡するので、溶湯１０２が溶湯検知センサー１０３に接触した場合と同様に、溶湯検知センサー１０３に電流が流れる現象が起きる。
【００３５】
但し、アルミニウムである溶湯１０２と離型剤の水分の電気抵抗値は大きく異なることから、図２の上のグラフのように、溶湯１０２で短絡した際に溶湯検知センサー１０３に流れる電流の値Ｒと、離型剤の水分で短絡した際に溶湯検知センサー１０３に流れる電流の値Ｑも、大きく異なることになる。
【００３６】
そこで、図１の電気回路では、溶湯１０２で短絡した際に溶湯検知センサー１０３に流れる電流の値Ｒよりも、若干低い値（図２の上のグラフの「基準値」に相当するもの）以上の電流が流れれば、発光ダイオード２１が発光するようなフォトカプラー１２を実装しており、これにより、溶湯１０２が溶湯検知センサー１０３に接触した場合と、離型剤の水分が溶湯検知センサー１０３に接触した場合を、区別できるようにしている。
【００３７】
すなわち、図２の上のグラフに示すように、離型剤の水分が溶湯検知センサー１０３に接触した場合においては、溶湯検知センサー１０３に流れる電流の値Ｑは「基準値」よりも小さく、フォトカプラー１２の発光ダイオード２１が発光しないので、フォトカプラー１２のフォトトランジスタ２２はオフ状態となり、一方、溶湯１０２が溶湯検知センサー１０３に接触した場合においては、溶湯検知センサー１０３に流れる電流の値Ｒは「基準値」よりも大きく、フォトカプラー１２の発光ダイオード２１が発光するので、フォトカプラー１２のフォトトランジスタ２２はオン状態となる。
【００３８】
このとき、監視回路１１５は、図２の下のグラフに示すように、フォトカプラー１２の発光ダイオード２１が発光すれば、制御回路１１６への出力電圧信号をＨからＬに変更するので、フォトカプラー１２の発光ダイオード２１が発光した時点で、溶湯検知センサー１０３で溶湯１０２を検知することが可能となる。
【００３９】
これにより、溶湯１０２が溶湯検知センサー１０３に最初に接触した時点から、溶湯検知センサー１０３で溶湯１０２を検知するまでに要する時間（図２のタイムラグに相当するもの）は安定するとともに、その時間の長さは、約０．７３ｍｓｅｃとなり、従来技術の約２．５ｍｓｅｃ（図４のタイムラグに相当するもの）と比較すると、大幅に短縮されたことになる。
【００４０】
また、溶湯検知センサー１０３に流れる電流においては、図２の上のグラフに示すように、ダイカスト金型１０１の内面に対する離型剤の塗布の前後で、電気的ノイズが発生している。もっとも、フォトカプラー１２を使用すると、図２の下のグラフに示すように、監視回路１１５の出力電圧信号は、電気的ノイズに影響されることがないので、溶湯検知センサー１０３で溶湯１０２を検知する際において、電気的ノイズを要因とした誤検知を無くすことができる。
【００４１】
以上詳細に説明したように、本実施の形態の溶湯の検知方法では、溶湯１０２で溶湯検知センサー１０３が短絡した場合でも、離型剤の水分で溶湯検知センサー１０３が短絡した場合でも、溶湯検知センサー１０３に電流が流れることには変わりはない。しかしながら、溶湯１０２の電気抵抗値は、離型剤の水分の電気抵抗値に比べてかなり小さい。従って、図２の上のグラフに示すように、溶湯１０２で短絡した際に溶湯検知センサー１０３に流れる電流の値Ｒ（「溶湯短絡時のセンサーの電流値」に相当するもの）は、離型剤の水分で短絡した際に溶湯検知センサー１０３に流れる電流の値Ｑ（「離型剤短絡時のセンサーの電流値」に相当するもの）に比べてかなり大きい。
【００４２】
言い換えれば、離型剤の水分で溶湯検知センサー１０３が短絡した場合には、溶湯検知センサー１０３に流れる電流の値は、図２の上のグラフのＱにまでしかならないが、溶湯１０２で溶湯検知センサー１０３が短絡した場合には、溶湯検知センサー１０３に流れる電流の値は、図２の上のグラフのＱを大きく超えて、図２の上のグラフのＲにまで到達することになる。従って、溶湯１０２で溶湯検知センサー１０３が短絡した場合と離型剤の水分で溶湯検知センサー１０３が短絡した場合とを、溶湯検知センサー１０３に流れる電流の値をもって、瞬時に且つ明確に区別することができる。
【００４３】
そこで、本実施の形態の溶湯の検知方法では、図２の上のグラフのＱより大きく図２の上のグラフのＲ以下の大きさで「基準値」を設定しており、溶湯検知センサー１０３に流れる電流の値が「基準値」以上にあるときは、溶湯１０２で溶湯センサー１０３が短絡していると言えるので、ダイカスト金型１０１内を流動する溶湯１０２を検知することが可能となる。
【００４４】
尚、上述した点は、ダイカスト金型１０１の内面に対する離型剤の塗布の前後で発生している電気的ノイズの対策としても、有効である。
【００４５】
すなわち、本実施の形態の溶湯の検知方法では、溶湯検知センサー１０３に流れる電流の値が「基準値」以上にあることを検出することにより、瞬時に且つ明確に、ダイカスト金型１０１内を流動する溶湯１０２を検知することができるので、ダイカスト金型１０１内を流動する溶湯１０２の検知をより速く行うとともに、これに加えて、離型剤の水分や電気的ノイズが溶湯１０２として検知されることを防止することも確保できる。
【００４６】
また、このとき、ダイカスト金型１０１内を流動する溶湯１０２の先端で溶湯検知センサー１０３が短絡した際は、溶湯検知センサー１０３に流れる電流の値が「基準値」に最初に到達することになるから、ダイカスト金型１０１内を流動する溶湯１０２の先端を検知するには、溶湯検知センサー１０３に流れる電流の値が「基準値」に最初に到達した時点を検出すればよい。
【００４７】
そこで、本実施の形態の溶湯の検知方法では、監視回路１１５は、図２の下のグラフに示すように、フォトカプラー１２の発光ダイオード２１が発光すれば、制御回路１１６への出力電圧信号をＨからＬに変更するとともに、制御回路１１６への出力電圧信号をＬに維持しており、これをショット毎に行うことより、溶湯検知センサー１０３に流れる電流の値が「基準値」に最初に到達した時点を検出することを可能にしている。
【００４８】
特に、図５の普通ダイカスト法を実施する装置１００では、ダイカスト金型１０１内のガスを吸引するため、ダイカスト金型１０１に真空ランナー１０７が彫り込まれており、ダイカスト金型１０１内のガスを吸引するための真空装置１０６やシリンダ１１０などに溶湯１０２が浸入することを防止するために、真空ランナー１０７に溶湯検知センサー１０３を設けているので、真空ランナー１０７内を流動する溶湯１０２の先端を瞬時に検知することが重要となる。
【００４９】
この点、ダイカスト金型１０１内においては、真空ランナー１０７はキャビティ１１２よりも狭く、真空ライナー１０７内の溶湯１０２は高速で流動することになり、真空ランナー１０７内を流動する溶湯１０２の先端を検知することをより速く行いたい要請があることから、本実施の形態の溶湯の検知方法の効果をより発揮することができる。
【００５０】
また、図２に示すように、フォトカプラー１２の発光ダイオード２１自身のトリガー作用を検出時の「基準値」として使用しており、フォトカプラー１２の発光ダイオード２１が光を発生させている間は、溶湯検知センサー１０３に流れる電流の値が「基準値」以上にあることを示し、さらに、フォトカプラー１２の発光ダイオード２１が最初に光を発生させた時点が、溶湯検知センサー１０３に流れる電流の値が「基準値」に最初に到達した時点を示すことから、本実施の形態の溶湯の検知方法を図１の電気回路で実施することができる。
【００５１】
このとき、図１の電気回路では、可変抵抗の抵抗器１３で溶湯検知センサー１０３に流れる電流を調整できるようにしており、溶湯１０２で短絡した際に溶湯検知センサー１０３に流れる電流の値Ｒを変更することができ、もって、溶湯１０２で短絡した際に溶湯検知センサー１０３に流れる電流の値Ｒと「基準値」の相対的な関係を調整することができるので、図１の電気回路で実施された本実施の形態の溶湯の検知方法の感度を最適な状態にすることができる。
【００５２】
さらに、検知対象の溶湯１０２が比較的に電気抵抗値の大きいものに変更され、溶湯１０２で短絡した際に溶湯検知センサー１０３に流れる電流の値Ｒが比較的に小さくになっても、可変抵抗の抵抗器１３で溶湯検知センサー１０３に流れる電流を調整することにより、溶湯１０２で短絡した際に溶湯検知センサー１０３に流れる電流の値Ｒを「基準値」以上に変更することができ、もって、溶湯１０２で短絡した際に溶湯検知センサー１０３に流れる電流の値Ｒと「基準値」の相対的な関係を調整することができるので、図１の電気回路で実施された本実施の形態の溶湯の検知方法を、検知対象の溶湯１０２の変更に対応させることができる。
【００５３】
尚、本発明は上記実施の形態に限定されるものでなく、その趣旨を逸脱しない範囲で様々な変更が可能である。
例えば、本実施の形態では、本実施の形態の溶湯の検知方法を図１の電気回路で実施しているが、溶湯検知センサー１０３に流れる電流の値と「基準値」の関係をソフトウエアで判断させることにより、本実施の形態の溶湯の検知方法を実施してもよい。
【００５４】
【発明の効果】
本発明の溶湯の検知方法では、センサーに流れる電流の値が基準値以上にあることを検出することにより、瞬時に且つ明確に、ダイカスト金型内を流動する溶湯を検知することができるので、ダイカスト金型内を流動する溶湯の検知をより速く行うとともに、これに加えて、離型剤の水分や電気的ノイズが溶湯として検知されることを防止することも確保できる。
【００５５】
また、このとき、ダイカスト金型内を流動する溶湯の先端でセンサーが短絡した際は、センサーに流れる電流の値が基準値に最初に到達することになるから、ダイカスト金型内を流動する溶湯の先端を検知するには、センサーに流れる電流の値が基準値に最初に到達した時点を検出すればよい。
【００５６】
特に、ダイカスト金型内のガスを吸引するため、ダイカスト金型に真空ランナーが彫り込まれた場合には、ダイカスト金型内のガスを吸引するための真空装置などに溶湯が浸入することを防止するために、真空ランナーにセンサーを設けて、真空ランナー内を流動する溶湯の先端を瞬時に検知することが重要となる。この点、ダイカスト金型内においては、真空ランナーはキャビティよりも狭く、真空ライナー内の溶湯は高速で流動することになり、真空ランナー内を流動する溶湯の先端を検知することをより速く行いたい要請があることから、かかる場合には、本発明の溶湯の検知方法の効果をより発揮することができる。
【００５７】
また、フォトカプラーの発光ダイオード自身のトリガー作用を検出時の基準値として使用すれば、フォトカプラーの発光ダイオードが光を発生させている間は、センサーに流れる電流の値が基準値以上にあることを示し、さらに、フォトカプラーの発光ダイオードが最初に光を発生させた時点が、センサーに流れる電流の値が基準値に最初に到達した時点を示すことから、本発明の溶湯の検知方法を電気回路で実施することができる。
【００５８】
このとき、可変抵抗の抵抗器でセンサーに流れる電流を調整できるようにすれば、「溶湯短絡時のセンサーの電流値」を変更することができ、もって、「溶湯短絡時のセンサーの電流値」と基準値の相対的な関係を調整することができるので、電気回路で実施された本発明の溶湯の検知方法の感度を最適な状態にすることができる。さらに、検知対象の溶湯が比較的に電気抵抗値の大きいものに変更され、「溶湯短絡時のセンサーの電流値」が比較的に小さくになっても、可変抵抗の抵抗器でセンサーに流れる電流を調整することにより、「溶湯短絡時のセンサーの電流値」を基準値以上に変更することができ、もって、「溶湯短絡時のセンサーの電流値」と基準値の相対的な関係を調整することができるので、電気回路で実施された本発明の溶湯の検知方法を、検知対象の溶湯の変更に対応させることができる。
【図面の簡単な説明】
【図１】  本発明の溶湯の検知方法を実施する電気回路の概略図である。
【図２】  本発明の溶湯の検知方法の性能を示した図である。
【図３】  従来技術の溶湯の検知方法を実施する電気回路の概略図である。
【図４】  従来技術の溶湯の検知方法の性能を示した図である。
【図５】  普通ダイカスト法を実施する装置の概略図である。
【図６】  溶湯検知センサーの断面図である。
【符号の説明】
１２  フォトカプラー
１３  可変抵抗の抵抗器
１０１  ダイカスト金型
１０２  溶湯
１０３  溶湯検知センサー
１０７  真空ライナー
【図１】
0004581206.tif 000002
【図２】
0004581206.tif 000003
【図３】
0004581206.tif 000004
【図４】
0004581206.tif 000005
【図５】
0004581206.tif 000006
【図６】
0004581206.tif 000007